(57)【特許請求の範囲】
【請求項１】
前後横杆と左右縦杆で構成される矩形枠であって、縦杆部分を前後適宜位置で折曲して添杆部と立上杆部に形成したことを特徴とする除雪具用アタッチメント。
【請求項２】
前後横杆を構成する前方横杆部と後方横杆部を、各々左右に分割すると共に、伸縮自在に連結してなる請求項１記載の除雪具用アタッチメント。
【請求項３】
後方横杆部の中間部分に設けた段差杆部を介して、高さを異にする第一後方横杆部と第二後方横杆部を設けてなる請求項１又は２記載の除雪具用アタッチメント。
【請求項４】
添杆部の下面に半割管形状の嵌添部を設けてなる請求項１乃至３記載の何れかの除雪具用アタッチメント。
【請求項５】
添杆部にパイプクランプ体を付設してなる請求項１乃至３記載の何れかの除雪具用アタッチメント。
【発明の詳細な説明】
【技術分野】
【０００１】
本発明は、既存の除雪具に装着するアタッチメントに関するものである。
【背景技術】
【０００２】
一般的に知られている除雪具は、積雪を掬い取り、他所に運搬して排雪するもので、一般的には前方が開口した箱型の掬い取り部に、二本の縦杆と把手となる後方横杆で構成されるコの字状の把手部を設けている。
【０００３】
前記の除雪具を使用しての除雪作業は、掬い取り部先端を水平状態として積雪内に押し込んで、多量の積雪を掬い取り、排雪のために運搬する時には掬い取り部先端をやや上方に持ち上げて行う。このために除雪作業において作業者の腰の位置の変化が作業者の負担となる。
【０００４】
そこで従前より種々の提案がなされている。例えば特許文献１（実開平１−６１２１８号公報）には、把手部の後方横杆が上下二段に形成し、作業に応じて異なる高さの後方横杆を把手として使用することが開示されている。また特許文献２（実開平１−７５１２６号公報）には、後方横杆以外に前方横杆を備える第二の把手部を備える除雪具が開示されている。このように除雪具には、複数の把手部を設けることで種々対応している。
【先行技術文献】
【特許文献】
【０００５】
【特許文献１】実開平１−６１２１８号公報。
【特許文献１】実開平１−７５１２６号公報。
【発明の概要】
【発明が解決しようとする課題】
【０００６】
複数の把手部を備える除雪具は、製造上煩瑣であり製造コストの点もあり、更に第二把手というべき横杆（後方横杆や前方横杆）の位置が一定となり、除雪具を使用する作業者の背の高さや、使用する際の各自の使い方（癖）の相違などから、全ての作業者に対応する第二の把手を提供することができないので、単純なコ状把手部や、コ状把手部に補強杆を添えた除雪具が一般的に採用されている。
【０００７】
そこで本発明は、既存の除雪具に装着することで、作業者に対応できる第二、第三の把手を容易に得ることができる除雪具用アタッチメントを提案したものである。
【課題を解決するための手段】
【０００８】
本発明に係る除雪具用アタッチメントは、前後横杆と左右縦杆で構成される矩形枠であって、縦杆部分を前後適宜位置で折曲して添杆部と立上杆部に形成してことを特徴とする
ものである。
【０００９】
而して前記アタッチメントは、既存の除雪具の把手部縦杆に添杆部を添わせて適宜な手段（粘着テープ、バンド、クランプ等）で連結して使用するもので、アタッチメントを装着した除雪具は、既存品の把手部横杆と、アタッチメントの後方横杆部の上下二段の把手を備え、更に器具の横持ち用把手として機能する前方横杆部も備えることになる。
【００１０】
また本発明（請求項２）に係る除雪具用アタッチメントは、前後横杆を構成する前方横杆部と後方横杆部を、各々左右に分割すると共に、伸縮自在に連結してなるものである。
【００１１】
従ってアタッチメント装着対象である既存の除雪具において、把手部縦杆の幅が相違した場合に、横杆部の長さを調整すること、添杆部を把手部縦杆に添えて連結することができる。
【００１２】
また本発明（請求項３）に係る除雪具用アタッチメントは、特に後方横杆部の中間部分に設けた段差杆部を介して、高さを異にする第一後方横杆部と第二後方横杆部を設けてなるもので、除雪具の後方把手が、把手部横杆（既存品）と、第一後方横杆部と第二後方横杆部の三段を備えることになり、更に段差杆部自体も把手として機能する。
【００１３】
また本発明（請求項４，５）に係る除雪具用アタッチメントは、添杆部の下面に半割管形状の嵌添部を設け、或いは添杆部にパイプクランプ体を付設してなるもので、添杆部を把手部縦杆に添えて連結する際の補助機能を備えることになる。
【発明の効果】
【００１４】
本発明の構成は上記のとおりで、アタッチメントを装着固定した既存の除雪具は、本来の把手である把手部横杆の他に、アタッチメントの後方横杆部を第二の把手とし、前方横杆部を横持ち用把手（第三の把手）とすることができ、把手位置の選択によって作業者の負担を軽減することができるようにしたものである。
【図面の簡単な説明】
【００１５】
【図１】本発明の実施形態（第一実施例）の全体斜視図。
【図２】同既存器具へ装着状態を示す説明図。
【図３】同使用状態の説明図（積雪の掬い取り作業）。
【図４】同図（積雪の運搬作業）。
【図５】同図（排雪作業）。
【図６】本発明の別例の説明図で、（イ）は第二実施例（ハ）は第三実施例を示す。
【発明を実施するための形態】
【００１６】
次に本発明の実施形態について説明する。本発明は既存の除雪具Ａに装着するアタッチメントＢで、図１に第一実施例を示す。第一実施例は、全体が前後横杆と左右縦杆で構成される矩形枠であって、縦杆部分を前後適宜位置で折曲して添杆部１と立上杆部２に形成する。尚添杆部１と立上杆部２の長さ比率並びに折曲角度には特に限定されるものではないが、概ね立上杆部２は１０〜２５ｃｍ程度で、立上角度が６０〜９０度程度である。
【００１７】
前後横杆は前方横杆部３と後方横杆部で構成されるが、特に後方横杆部は、立上杆部２と連続する第一後方横杆部４と、その内方側で下方に折曲した段差杆部５を介して、前記第一後方横杆部４と高さを異にする第二後方横杆部６を設けたものである。
【００１８】
更に前記の前方横杆部３と第二後方横杆部６は、適宜な伸縮連結機構７を備えるもので、その構造例は、図示したように、パイプで形成されている前方横杆部３及び第二後方横杆部６を左右に分割し、分割されたパイプを内挿した連結杆７１で連結すると共に、ゴムチューブのような被覆体７２で連結箇所を被覆するようにする。
【００１９】
本発明のアタッチメントＢを装着する既存の除雪具Ａの構成は、周知のとおり前方が開口した箱型の掬い取り部０１に把手部を付設しているもので、把手部は掬い取り部０１に連結される二本の把手部縦杆０２と、把手部縦杆０２の後端に連続する把手部横杆０３と、把手部縦杆０２と掬い取り部０１の間に架設される把手部補強杆０４とを備えているものである。
【００２０】
而して既存除雪具Ａに上記のアタッチメントＢを装着固定するもので、装着前に必要に応じて伸縮連結機構７で、前方横杆部３及び第二後方横杆部６の長さを調整し、添杆部１の左右間隔を除雪具Ａの把手部縦杆０２の幅と一致させ、添杆部１を把手部縦杆０２の上方に添え、適宜なバンドａで両者を連結する。
【００２１】
従ってアタッチメント装着後には、既存除雪具Ａの把手部横杆（第一把手）０３と、アタッチメントＢの後方第一横杆部（第二把手イ）４、後方第二横杆部（第二把手ロ）６及び立上杆部（第二把手ハ）２と、前方横杆部（第三把手）３が把手として使用することができるものである。
【００２２】
従って除雪作業に際しては、積雪Ｃの掬い取り作業においては、掬い取り部０１の先端を水平状態として押し出しし易い既存除雪具Ａの把手部横杆（第一把手）０４や、立上杆部（第二把手ハ）２を把持して使用すると、作業者の負担が少なく（図３参照）、掬い取った雪Ｄを排雪箇所に運搬する作業においては、掬い取り部０１の先端をやや上方に持ち上げて押し出しし易い後方第一横杆部（第二把手イ）４又は後方第二横杆（第二把手ロ）６を把持して使用すると、作業者の負担が少ない（図４参照）。
【００２３】
更に掬い取った雪Ｄを掬い取り部０１が排雪する作業に際しては、前方横杆部（第三把手）３と、把手部横杆（第一把手）０４又は後方第二横杆（第二把手ロ）６の何れかを把持すると、排雪作業を容易に行うことができる（図５参照）。
【００２４】
また本発明は、図６（イ）に示すアタッチメント（第二実施例）のように、添杆部１の下面に下方が開口した適宜長さの半割管形状の嵌添部８を付設しておくと、既存の除雪具Ａの把手部縦杆０２に添杆部１を添わせる際に、嵌添部８が把手部縦杆０２に被冠されることになり、両者をバンド連結やテープ連結で装着固定することが容易に行える。
【００２５】
更に図６（ロ）に示すアタッチメント（第三実施例）のように、添杆部１にパイプクランプ体９を予め装着しておくと、既存の除雪具Ａの把手部縦杆０２に添杆部１を添わせ、パイプクランプ体９で把手部縦杆０２に簡単に装着固定することができる。
【符号の説明】
【００２６】
１      添杆部
２      立上杆部
３      前方横杆部
４      第一後方横杆部
５      段差杆部
６      第二後方横杆部
７      伸縮連結機構
７１    連結杆
７２    被覆体
８      嵌添部
９      パイプクランプ体
【図１】
0005887202.tif 000002
【図２】
0005887202.tif 000003
【図３】
0005887202.tif 000004
【図４】
0005887202.tif 000005
【図５】
0005887202.tif 000006
【図６】
0005887202.tif 000007